(57)【要約】【課題】  本発明は、パチンコ，スロットマシンなどの遊戯機に関し、特に、パチンコ機において、磁石を用いた不正行為を防止するとともに、その不正状態を表示すると共に、不正続行不能にすること。【解決手段】  遊戯機における外側ガラス２１と内側ガラス２２とを有する窓ガラス２と、高分子／液晶複合材料３３が一対の透明電極層３１，３２間に挟持されつつ，一対の該透明電極層３１，３２が一対のシート状基板３４，３４間に挟持されてなる液晶シート部３とを備えていること。該液晶シート部３は前記外側ガラス２１又は内側ガラス２２の対向面の何れかに重ねられていること。一対の前記透明電極層３１，３２の何れか一方には、帯状電極が非電極なる僅少隙間を介して複数併設され、他方は全面電極とされると共に、一対の前記透明電極層３１，３２間に、磁石使用による信号にて前記帯状電極の少なくとも一部が動作すること。【選択図】      図１
2009201659.tif 000002
【特許請求の範囲】
【請求項１】
遊戯機における外側ガラスと内側ガラスとを有する窓ガラスと、高分子／液晶複合材料が一対の透明電極層間に挟持されつつ，一対の該透明電極層が一対のシート状基板間に挟持されてなる液晶シート部とを備え、該液晶シート部は前記外側ガラス又は内側ガラスの対向面の何れかに重ねられ、一対の前記透明電極層の何れか一方には、帯状電極が非電極なる僅少隙間を介して複数併設され、他方は全面電極とされると共に、一対の前記透明電極層間に、磁石使用による信号にて前記帯状電極の少なくとも一部が動作する不正防止回路が設けられてなることを特徴とする遊戯機における不正防止装置。
【請求項２】
請求項１において、前記磁石使用による信号は、警報関連信号を直接信号としてなることを特徴とする遊戯機における不正防止装置。
【請求項３】
請求項１において、前記液晶シート部は、前記内側ガラスの外面側に貼着してなることを特徴とする遊戯機における不正防止装置。
【請求項４】
請求項１において、前記液晶シート部は、前記外側ガラスの内面側に貼着してなることを特徴とする遊戯機における不正防止装置。
【請求項５】
請求項１，２，３又は４において、前記帯状電極は、インジウムスズ酸化物からなることを特徴とする遊戯機における不正防止装置。
【請求項６】
請求項１，２，３，４又は５において、前記帯状電極を独立した複数の電極として構成し、これにより、図形、記号、文字などを表示するようにしてなることを特徴とする遊戯機における不正防止装置。
【請求項７】
請求項２，３，４，５又は６において、前記不正防止回路は、前記警報関連信号による警報回路とは独立した電源を設けてなることを特徴とする遊戯機における不正防止装置。
【発明の詳細な説明】
【技術分野】
【０００１】
本発明は、パチンコ，スロットマシンなどの遊戯機に関し、特に、パチンコ機において、磁石を用いた不正行為を防止するとともに、その不正状態を表示すると共に、不正続行不能にした遊戯機における不正防止装置に関する。
【背景技術】
【０００２】
従来より、パチンコ機などに於いて、パチンコ機の窓枠の外部から磁石を用いて、玉を入賞孔に導いて大量の出玉を得るという不正行為が行われることが頻繁に行われている現状であった。そのような不正行為に対しては、パチンコ機の適所に磁気センサを設けて磁石の使用の有無を検知し、磁気検出信号が発生した場合には警報を発するようにしたものがある。
【０００３】
例えば、上記警報には、トラブル発生時に客がオン／オフ操作して店員に知らせるべくパチンコ機毎に各上部に設置された上部表示灯を用いて点滅させるようにしたものがあるが、その上部表示灯が点滅した場合には、機械（パチンコ機）のトラブルなのか磁石使用の不正行為によるものなのか、一見して区別することが困難であるという問題があった。また、上部表示灯の点滅のみでは、遊戯を続行することができ、店員が駆けつけるまでの間に不正行為による大量の出玉を得ることができてしまう。
【０００４】
また、各機毎に出玉をコンピュータ管理し、異常な出玉が検出されたら、モニタカメラにより不正行為を録画し、不正行為を働いた者に対して証拠となる映像を見せることができるようにしたシステムもあるが、多数のモニタカメラの設置など設備が煩雑化するという問題があるばかりでなく、この場合にも不正行為者に対してその不正行為の発覚を知らせるまでの間に、上記と同様に遊戯を続行し続けることができてしまう。特許文献１では、液晶でパチンコ機の盤面全体が見えなくなる状態となるが、故障と見間違えわれる不都合があった。
【特許文献１】実開平７−９３８４号
【特許文献２】特開平８−３３７５９号
【発明の開示】
【発明が解決しようとする課題】
【０００５】
また、特許文献２も存在するが、ガラスに図形，文字等を自在に描くようにできない不都合があった。このような従来技術の問題点に鑑み、本考案の主な目的は、磁石を用いた不正行為が行われた場合にその不正行為による遊戯の続行を防止し得る遊戯台用不正防止装置を提供することにある。特に、不正の場合に、遊戯続行が確実にできなくなることが必須である。
【課題を解決するための手段】
【０００６】
そこで、発明者は上記課題を解決すべく鋭意，研究を重ねた結果、請求項１の発明を、遊戯機における外側ガラスと内側ガラスとを有する窓ガラスと、高分子／液晶複合材料が一対の透明電極層間に挟持されつつ，一対の該透明電極層が一対のシート状基板間に挟持されてなる液晶シート部とを備え、該液晶シート部は前記外側ガラス又は内側ガラスの対向面の何れかに重ねられ、一対の前記透明電極層の何れか一方には、帯状電極が非電極なる僅少隙間を介して複数併設され、他方は全面電極とされると共に、一対の前記透明電極層間に、磁石使用による信号にて前記帯状電極の少なくとも一部が動作する不正防止回路が設けられてなることを特徴とする遊戯機における不正防止装置としたことにより、前記課題を解決した。
【０００７】
請求項２の発明を、請求項１において、前記磁石使用による信号は、警報関連信号を直接信号としてなることを特徴とする遊戯機における不正防止装置としたことにより、前記課題を解決した。請求項３の発明を、請求項１において、前記液晶シート部は、前記内側ガラスの外面側に貼着してなることを特徴とする遊戯機における不正防止装置としたことにより、前記課題を解決した。請求項４の発明を、請求項１において、前記液晶シート部は、前記外側ガラスの内面側に貼着してなることを特徴とする遊戯機における不正防止装置としたことにより、前記課題を解決した。請求項５の発明を、請求項１，２，３又は４において、前記帯状電極は、インジウムスズ酸化物からなることを特徴とする遊戯機における不正防止装置としたことにより、前記課題を解決した。
【０００８】
また、請求項６の発明を、請求項１，２，３，４又は５において、前記帯状電極を独立した複数の電極として構成し、これにより、図形、記号、文字などを表示するようにしてなることを特徴とする遊戯機における不正防止装置としたことにより、前記課題を解決した。さらに、請求項７の発明を、請求項２，３，４，５又は６において、前記不正防止回路は、前記警報関連信号による警報回路とは独立した電源を設けてなることを特徴とする遊戯機における不正防止装置としたことにより、前記課題を解決したものである。
【発明の効果】
【０００９】
請求項１の発明においては、特に、磁石を用いた不正行為が行われた場合にその不正行為による遊戯の続行を確実に防止することができる。特に、磁石を使った不正行為が行われた場合には、磁石の使用を磁気センサにより検出し、制御手段により遊戯台の窓を適宜の手段による遮蔽手段により遮蔽することから、その遊戯台での遊戯を続行することができなくなる。その形が特定できない有利性がある。
【００１０】
特に、本発明では、一方の電極が、一方のシート状基板の一端から他端にわたりライン状に互いに離れて形成されているので、部分的に電圧を印加することができ、全体的のみならず部分的に光を透過させたり光を不透過にしたりして光の制御を行なうことが可能となり、パチンコ機の盤面板の特有な構成に合せて、その主要部のみを見えないように制御できる利点がある。また、他方の電極がシート状基板の全面に形成されているので、一方の電極の位置と他方の電極の位置を細かく調整する必要がなく、電極の位置ずれによる光の不透過を低減することができる。
【００１１】
請求項２の発明では、磁石使用による信号は、警報関連信号を直接信号としたので、一般に現存する警報関連信号を使用することができ、設備費を割安にできる。さらに、請求項３の発明では、外側ガラスは、人の手などによって殴打されることが多いために、このリスクを回避できる。また、請求項４の発明では、請求項２の内容とは反対であるが、常時、パチンコの玉が内側ガラス内面に当たっているため、誤作動するような点を回避できる。請求項５の発明では、請求項１と同様の効果を奏する。
【００１２】
請求項６の発明では、上、中間など一部を隠すことではなく、特に、図形、記号、文字などで隠すようにしたものであり、特に、不正者締め出しに効果的である。さらに、請求項７の発明では、前記警報関連信号による警報回路とは独立した電源とすることで、不正に対して、常時監視できる体制にできる。すなわち、パチンコ機の盤面板を見えるようにするには、液晶に常時電源を入力しておく必要があるため、警報などの回路と別にしておくことが好適である。
【発明を実施するための最良の形態】
【００１３】
以下、本発明の実施形態について図面に基づいて説明すると、図１は、概要図であり、遊技機（主に、パチンコ機）の窓枠１と、該窓枠１内の窓ガラス２と、液晶シート部３と盤面板４と電源５と、不正防止回路６と常閉スイッチ７とから構成されている。前記盤面板４には、多数の釘４ａが設けられている。特に、外側ガラス２１と内側ガラス２２とからなる前記窓ガラス２と、液晶シート部３との構成が主要部である。該液晶シート部３の構造について説明する。
【００１４】
前記液晶シート部３は、所定間隔を有した透明電極層３１，３２の間に、（高分子／液晶）複合材料３３が挟まれて封止材（図示せず。）によって周囲が囲まれて密封されている。該（高分子／液晶）複合材料３３は乳白色を呈している。さらに、前記透明電極層３１，３２の外側には、シート状基板３４，３４が貼着されている。
【００１５】
前記透明電極層３１，３２の何れか一方が、全面電極の場合で、他方が帯状電極の集合体の場合である。この実施形態を詳述する。全面電極の場合は、一方（図２において左側）の前記シート状基板３４の片面（図２の右面）全面に、インジウムスズ酸化物（ＩＴＯ）からなる透明電極層として塗布されている。また、他方（図２において左側）のシート状基板３４の片面（図２の左面）には、帯状電極（図２において上下方向の幅が約３cm乃至約１０cm）としたＩＴＯ層３０１が、所定間隔（図２において上下方向の間隔が約０．５mm程度）の非ＩＴＯ層３０２と、前記ＩＴＯ層３０１及び前記非ＩＴＯ層３０２と交互に連続形成されている。透明電極層３１，３２のそれぞれの厚さは、約５０μｍである。
【００１６】
前記帯状電極は、インジウムスズ酸化物（ＩＴＯ）からなるＩＴＯ層３０１であり、この逆も成り立つ。さらに、請求項１における帯状電極が非電極なる僅少隙間は、非ＩＴＯ層３０２であり、この逆も成り立つ。前記（高分子／液晶）複合材料３３には、適宜、スペーサと言うミクロ球体をした、（高分子／液晶）複合材料３３の厚みを均一に保つ材料が混入される。また、マルチコーティング、カーテンコーティング、スクリーン印刷のいずれかで（高分子／液晶）複合材料３３をシート状基板３４に塗布する。更に、（高分子／液晶）複合材料３３の質を低下させてしまう空気や湿気の侵入を防ぐためにシート状基板３４の外枠を封止材で密封し、紫外線（ＵＶ）照射によりモノマーを硬化させ、（高分子／液晶）複合材料３３を相分離させるものである。
【００１７】
また、前記（高分子／液晶）複合材料３３は、アクリルモノマーの混合物を含んだものであり、オリゴマーまたはポリアクリレートは（高分子／液晶）複合材料の粘度を高めるために（高分子／液晶）複合材料に加えられる。また、光重合開始剤の速度を速める効果があり、光重合の加速のために２−ジメトキシ−２−フェニルアセトフェノンのような光硬化剤が（高分子／液晶）複合材料３３に添加される。さらに、（高分子／液晶）複合材料３３には、スペーサと呼ばれるミクロ球体が混入されており、（高分子／液晶）複合材料３３の厚みを均一に保っており、一般に、（高分子／液晶）複合材料３３の厚みは、約１５μｍ〜約３０μｍである。
【００１８】
さらに、（高分子／液晶）複合材料３３中の液晶材料は、ビフェニール、シクロヘキサン、そしてフローリン含有の混合物である。また、液晶材料の複屈折率及び粘度と同様にその温度範囲も選択可能であるが、複屈折率Δｎが０．１８の液晶材料を用いた（高分子／液晶）複合材料３３は、ヘイズを少なくし、希望通りの特性を示すため特に好ましい。また、液晶材料は、均質性の澄明な液を形成してモノマーで溶解され、粘度は５０〜２５０ｃｐｓ（５０〜２５０ｍＰａ・ｓ）の範囲内で、シート状基板３４上でのロールトゥシート（Ｒｏｌｌ ｔｏ Ｓｈｅｅｔ）プロセスのために選択可能である。
【００１９】
ここで、液晶材料の粘度が５０ｍＰａ・ｓ未満だと、シート状基板３４への粘着が弱く、はがれやすくなり好ましくなく、また、２５０ｍＰａ・ｓを越えると、液晶材料が固まって使用し難くなり好ましくない。また、（高分子／液晶）複合材料３３中、（高分子／液晶）複合材料３３の全量基準で、液晶材料の割合は７０〜８２質量％であり、プリポリマーの割合は３０〜１８質量％である。ここで、液晶材料の比率が大きくなると駆動電圧は低くなるが、コントラストも低くなり、プリポリマーの比率が大きくなると駆動電圧が高くなると共にヘイズも高くなってしまい、粘度が下がってしまう。
【００２０】
また、プリポリマーは、モノアクリレート、ジアクリレート、並びにオリゴマー及びポリアクリレートから選ばれる少なくとも１つのもので構成され、これらの比率が（高分子／液晶）複合材料の電気光学特性に影響する。液晶材料の粘度の増加と同様に、モノアクリレート比率の増加は低電圧駆動を導き、一方でジアクリレート比率を増加すると、より高い電圧、より高速な応答を導く。また、モノアクリレート及びオリゴマーは、（高分子／液晶）複合材料の粘度に影響し、液晶の粘度はポリアクリレートまたはオリゴマーを加えることで増加する。
【００２１】
本発明で使用する（高分子／液晶）複合材料３３は、アクリルモノマーとオリゴマーの混合物であり、（高分子／液晶）複合材料の粘度は希望に応じて変えることができる。また、前記（高分子／液晶）複合材料３３は、低価格でしかも高コントラストを有し、ヘイズを少なくできるという特長を有している。
【００２２】
図３（ａ）に示すように、透明電極層３１，３２における複数のＩＴＯ層３０１それぞれの一端（図３において右側）に、制御可能な操作スイッチＳＷを介して並列接続されて、これが電源５（交流）に接続されている。このような構成として、図示しない制御部（ＣＰＵ）のＩＴＯ層遮断手段を介して、所望の位置のＩＴＯ層３０１のみを遮断するように構成されている。以上のような帯状一部電極としての全てのＩＴＯ層３０１と、全面電極としての透明電極層３１又は３２との間においての不正防止回路６の電圧が印加された状態であると、全てのＩＴＯ層が透明となり、結果、前記窓ガラス２は透明状態を保持している。
【００２３】
磁気センサ８が作用した場合には、警報回路１０の常開スイッチ９をＯＮとして、その警報回路１０の電源１１（交流）による警報が発せられる。このとき、前記磁気センサ８にて、常閉スイッチ７の適宜な個別常閉スイッチＳＷ，ＳＷ，・・・が連動して開状態となり、これにより、帯状電極としての一部のＩＴＯ層３０１と、全面電極としての透明電極層３１又は３２との間においての不正防止回路６の電圧が遮断された状態であると、その個別常閉スイッチＳＷ，ＳＷ，・・が開となった一部のＩＴＯ層３０１箇所が白濁状態となり、結果、前記窓ガラス２は曇ガラス状態となる。その制御次第では、窓ガラス２全体を白濁状態にできる。前記個別常閉スイッチＳＷ，ＳＷ，・・・の電源は直流として構成することもある。
【００２４】
この態様としては、図４（Ａ）から、図４（Ｂ）のように、中間の主要部を横線状に見えなくして曇ガラス状態とする。さらに、図４（Ａ）から、図４（Ｃ）のように、上半分以上の主要部を見えなくして曇ガラス状態とする。さらに、図４（Ａ）から、図４（Ｄ）のように、中間の主要部を縦線状に見えなくして曇ガラス状態とする。この場合には、前記帯状電極は縦型とする。本発明では、前記窓ガラス２の適所に磁気センサ８が設けられている。該磁気センサ８の動作により、前記警報回路１０がＯＮするように構成されている。同時に、不正防止回路６の常閉スイッチ７が動作する。前記磁気センサ８が動作するのは、磁石を使って玉を不正に入賞孔に入れようとして磁石をパチンコ機の窓ガラス２に近付けた際である。
【００２５】
このようにして構成されたパチンコ機では、磁石を使って玉を不正に入賞孔に入れようとして磁石をパチンコ機の窓ガラス２に近付けた際に、その磁石の使用を磁気センサ８により検知する。すると、その磁気検出信号による前記警報回路１０の常開スイッチ９を閉として、前記警報回路１０がＯＮして、警報器１２を鳴らす。それと同時に、本発明の常閉スイッチ７がＯＮして、不正防止回路６が開状態となり、電源電圧の印加が解除され、前記（高分子／液晶）複合材料３３への電圧印加がオフ状態になって、一部の前記（高分子／液晶）複合材料３３が不透明状態となる。また、磁気センサ８は、前記警報器１２関連の部材とは独立した部材として前記不正防止回路１０に設けることもある。
【００２６】
これによって、パチンコ機の内部の一部が見えない状態となっており、パチンコゲームの続行ができないような構成となる。何よりも不正行為の続行が不可能になる。主要な箇所が見えなくなることが続行されることで、不正者に対して、現行犯検挙ができる。その後店員が、そのパチンコ機に駆けつけた状態で、磁石不正を現行犯で捕まえることができる。そして、状況が改善されたときには、図示しないリセットを押すことにより、前記不正防止回路６がリセットされ、窓ガラス２が元の透明な状態になり、遊戯可能になる。また、本発明の第１実施形態では、前記液晶シート部３は、前記内側ガラス２２の外面側に貼着されているが、この変形例として、図５に示すように、前記液晶シート部３が、前記外側ガラス２１の内面側に貼着された構成とすることもある。
【００２７】
本発明の第２実施形態を、図６乃至図８について説明する。前記（高分子／液晶）複合材料３３への電圧印加がオフ状態になって、区分を一部にするのが、本発明の基本であるが、図７（Ｂ）に示すように、不透明状態を適宜の図形、文字にするものである。そのためには、前記帯状電極の構造を大改造したものである。つまり、第２実施形態の前記帯状電極なるＩＴＯ層３０１では、それぞれ２つの独立した帯状電極としたものである。
【００２８】
それを具体的に説明すると、星印となるようにしたものである、星部の先端と、その周囲とが独立した電極となる。この境界は、前記ＩＴＯ層３０１と同様に構成されている。さらに、回路端子及び個別常閉スイッチＳＷがそれぞれに設けられた構成である。星部の中間の帯状電極、星部の両下端の帯状電極も、前記ＩＴＯ層３０１と同様の境界を介してそれぞれ２つの独立した帯状電極として構成されている。これで、回路を組むと、電圧印加がオフ状態になったときに、図６（Ｂ）に示すように、パチンコ内部の盤面板４の主要部が星印などの図形で隠され、遊戯不能となる。また、円形［図６（Ｃ）参照］や、六角形にできる［図６（Ｄ）参照］。前記個別常閉スイッチＳＷ，ＳＷ，・・・の電源は直流として構成することもある。
【００２９】
本発明の第２実施形態では、前記帯状電極の構造において、それぞれ２つの独立した帯状電極としたが、さらに、加えて、３つ以上とすることもある。３つにすると、例えば、文字で、中抜き文字（例えば、田、再など）にも対応することができる。また、前記窓ガラス２は、内側と外側とで２枚構成としたが、１枚構成としたり、３枚構成とすることがある。１枚構成とした場合は、前記窓ガラス２の裏面に液晶シート部３を貼着する。また、３枚構成の場合は、中間位置のガラスの表側又は裏側に貼着する。
【００３０】
このように本発明によれば、パチンコ機にて磁石を使用した不正が行われたら、磁石の使用を磁気センサ８により検出し、その検出信号に応じて制御手段により遊戯台の窓を例えば液晶体からなる遮蔽手段にて不透明状態にすることから、遊戯の続行が不可能になるため、不正時には直ちに遊戯不能とすることができ、不正による利益を一切受けることができず、不正防止効果が大である。
【図面の簡単な説明】
【００３１】
【図１】（Ａ）は本発明の遊技機の一部断面図、（Ｂ）は（Ａ）の（ア）部詳細図及び電気回路図である。
【図２】図１（Ｂ）の一部拡大詳細図である。
【図３】（Ａ）は透明電極層の帯状電極が高分子／液晶箇所（二点鎖線）で並列接続された平面回路図、（Ｂ）は（Ａ）の動作状態を示す平面回路図である。
【図４】（Ａ）は遊戯中の通常時のパチンコ機の正面図、（Ｂ）は遊戯中に磁石使用が行なわれた直後で、盤面の横主要部が液晶にて隠された状態のパチンコ機正面図、（Ｃ）は遊戯中に磁石使用が行なわれた直後で、盤面の上半分が液晶にて隠された状態のパチンコ機正面図、（Ｄ）は遊戯中に磁石使用が行なわれた直後で、盤面の縦主要部が液晶にて隠された状態のパチンコ機正面図である。
【図５】（Ａ）は本発明の第１実施形態の変形例の遊技機一部断面図、（Ｂ）は（Ａ）の（イ）部詳細図及び電気回路図である。
【図６】（Ａ）は遊戯中の通常時のパチンコ機の正面図、（Ｂ）は遊戯中に磁石使用が行なわれた直後で、盤面の横主要部が星印の液晶にて隠された状態のパチンコ機正面図、（Ｃ）は遊戯中に磁石使用が行なわれた直後で、盤面の横主要部が円形部の液晶にて隠された状態のパチンコ機正面図、（Ｄ）は遊戯中に磁石使用が行なわれた直後で、盤面の横主要部が六角図形の液晶にて隠された状態のパチンコ機正面図である。
【図７】（Ａ）は透明電極層の帯状電極において、星印を表示するために各帯状電極に２つの回路を独立して設け、これを並列接続させた平面回路図、（Ｂ）は（Ａ）の動作状態を示す平面回路図である。
【図８】（Ａ）は図７（Ｂ）のＸ−Ｘ矢視断面図、（Ｂ）は図７（Ｂ）のＹ−Ｙ矢視断面図である。
【符号の説明】
【００３２】
２…窓ガラス、６…不正防止回路、１０…警報回路、２１…外側ガラス、
２２…内側ガラス、３３…高分子／液晶複合材料、３１，３２…透明電極層、
３４…シート状基板、３０１…ＩＴＯ層、３０２…非ＩＴＯ層。
【図１】
2009201659.tif 000003
【図２】
2009201659.tif 000004
【図３】
2009201659.tif 000005
【図４】
2009201659.tif 000006
【図５】
2009201659.tif 000007
【図６】
2009201659.tif 000008
【図７】
2009201659.tif 000009
【図８】
2009201659.tif 000010